(57)【特許請求の範囲】
【請求項１】
人工衛星用の機器を搭載する機器パネルの、上記機器を取り外す際に、該機器を取り囲むように配置される機器取り外し装置であって、
該機器取り外し装置は、
板状の台部と、
該台部の両端の下側に備えられた上記台部を支持する脚部と、
上記機器が配置されている部分に対向する部分の上記台部の一部に設けられた貫通穴と、
該貫通穴に対向する位置の上記機器の一部に設けられためねじ部と、
上記貫通穴およびめねじ部に差し込んで締め付けることにより上記機器をジャッキアップさせて上記機器パネルと上記機器との間の接着層の厚さを広げるおねじ棒と、
上記機器パネルと上記機器との間の接着層を取り除く接着層掻き出し用冶具と
を備えたことを特徴とする衛星用機器パネルの機器取り外し装置。
【請求項２】
衛星用機器パネルに対する脚部の接触面積は、おねじ棒を締め付けたときに生じる、上記脚部の上記衛星用機器パネルに対する接触圧力により、上記衛星用機器パネルの表面を傷つけない大きさとしたことを特徴とする請求項１記載の衛星用機器パネルの機器取り外し装置。
【請求項３】
接着層掻き出し用冶具は、衛星用機器パネルおよび機器よりも軟らかい材質であることを特徴とする請求項１記載の衛星用機器パネルの機器取り外し装置。
【請求項４】
衛星用機器パネルおよび機器がアルミニウムからなるとき、接着層掻き出し用冶具はＦＲＰからなることを特徴とする請求項３記載の衛星用機器パネルの機器取り外し装置。
【請求項５】
接着層掻き出し用冶具は、その一部を金切り鋸刃状としたことを特徴とする請求項３または請求項４記載の衛星用機器パネルの機器取り外し装置。
【発明の詳細な説明】
【０００１】
【発明の属する技術分野】
この発明は、機器取り外し装置に関するものである。
【０００２】
【従来の技術】
図６は、従来の衛星用機器パネルの機器アセンブリ１１の構成を説明するための断面図である。なお、断面を示すハッチングは一部省略している。図において、１１は衛星用機器アセンブリであり、機器搭載部分の一つを示している。１２は人工衛星用の機器を搭載するハニカムサンドイッチ構造のパネル（衛星用機器パネル；以下、単にパネルともいう。）であり、１２ａはハニカムコア、１２ｂはハニカムコア１２ａの両側表面を覆う表皮である。１３はパネル１２に搭載されているパワーモジュール等の機器である。パネル１２および機器１３は、アルミニウム等により形成されている。
【０００３】
１４はパネル１２と機器１３とを接着している接着層であり、通常シリコンゴム系の接着剤からなる。１４ａはパネル１２側の接着層、１４ｂは機器１３側の接着層であり、１４ｃは接着層１４ａおよび１４ｂの中間に設けられた剥離層である。剥離層１４ｃは、機器１３に不具合が生じたとき等に、機器１３を交換するために取り外す際、パネル１２および機器１３を傷つけることなく、機器１３を容易に取り外すことができるようにするために設けられたものである。機器１３の取り外しの際は、金属製の薄いヘラ状の冶具等を用いて剥離層１４ｃの横から差し込むようにして接着層１４ｂ部分から機器１３を剥がし、パネル１２から取り外している。
【０００４】
【発明が解決しようとする課題】
従来の衛星用機器パネルの機器アセンブリ１１は、以上のように構成されているため、以下に示すような課題があった。
機器１３が電波発信機等の発熱機器である場合、接着層１４は機器１３が異常高温にさらされて故障するのを防ぐため、機器１３から生じた熱をパネル１２側に逃がす働きが必要とされる。したがって、高熱を発する機器にも対応できるように、接着層１４は高熱伝導性を有するものが望まれている。しかし、通常用いられるシリコンゴム系の接着剤には、熱の伝導性に限界があり、したがって搭載できる機器も限られてくるという問題が生じる。これを解消するためには、接着剤に、これよりも高い熱伝導性を有するフィラー（充填剤）の粉末を添加し、接着層全体の熱伝導性を高める方法が考えられる。しかし、熱伝導性をより高める目的でフィラーを添加する割合を高くすると、接着層全体が固くなってしまい、機器を取り外す際に、機器やパネルに傷がつくおそれがある。
【０００５】
上述の接着層１４には機器やパネルに傷がつくおそれを回避するための剥離層１４ｃが設けられているが、機器の運転・休止により生じる熱サイクル、あるいは宇宙環境から受ける熱サイクルにより、剥離層１４ｃから接着層１４ａおよび１４ｂが剥がれるおそれがある。接着層１４ａおよび１４ｂが剥がれてしまうと、機器１３から生じた熱をパネル１２側に逃がすことが難しくなる。一般的に、宇宙用発熱機器の運転、休止により生じる熱サイクルは＋３０℃〜−５℃の範囲であるといわれている。
【０００６】
また、従来の機器アセンブリ１１の場合、パネル１２および機器１３のそれぞれに接着層１４ａおよび１４ｂを形成した後、パネル１２に機器１３を取り付ける際に、さらに剥離層１４ｃを形成し、接着する作業が必要であるため、工程が多くなる上、機器１３を取り外す場合には、接着層１４ａおよび１４ｂと剥離層１４ｃとを除去しなければならない煩雑さが生じるという課題があった。
【０００７】
この発明は、上記のような問題点を解決するためになされたものであり、機器アセンブリの接着層を接着剤のみで構成しても、機器およびパネルを傷つけることなく、機器の取り外しを行うことが可能な機器取り外し装置を得ることを目的とする。
【００１０】
【課題を解決するための手段】
この発明に係る衛星用機器パネルの機器取り外し装置は、板状の台部と、台部の両端の下側に備えられた台部を支持する脚部と、機器が配置されている部分に対向する部分の台部の一部に設けられた貫通穴と、貫通穴に対向する位置の機器の一部に設けられためねじ部と、貫通穴およびめねじ部に差し込んで締め付けることにより機器をジャッキアップさせて機器パネルと機器との間の接着層の厚さを広げるおねじ棒と、機器パネルと機器との間の接着層を取り除く接着層掻き出し用冶具とを備えるようにしたものである。
【００１１】
この発明に係る衛星用機器パネルの機器取り外し装置は、衛星用機器パネルに対する脚部の接触面積を、おねじ棒を締め付けたときに生じる、脚部の衛星用機器パネルに対する接触圧力により、衛星用機器パネルの表面を傷つけない大きさとなるようにしたものである。
【００１２】
この発明に係る衛星用機器パネルの機器取り外し装置は、接着層掻き出し用冶具を、衛星用機器パネルおよび機器よりも軟らかい材質となるようにしたものである。
【００１３】
この発明に係る衛星用機器パネルの機器取り外し装置は、衛星用機器パネルおよび機器がアルミニウムからなるとき、接着層掻き出し用冶具はＦＲＰからなるようにしたものである。
【００１４】
この発明に係る衛星用機器パネルの機器取り外し装置は、接着層掻き出し用冶具を、その一部が金切り鋸刃状となるようにしたものである。
【００１５】
【発明の実施の形態】
以下、この発明の実施の一形態を説明する。
参考例１．
図１はこの発明の理解を助けるための参考例１による衛星用機器パネルの機器アセンブリ１の概略的な構成を示す断面図である。なお、断面を示すハッチングは一部省略している。図において、１は衛星用機器アセンブリであり、機器搭載部分の一つを示している。２は人工衛星用の機器を搭載するハニカムサンドイッチ構造のパネル（衛星用機器パネル）であり、２ａはハニカムコア、２ｂはハニカムコア２ａの両側表面を覆う表皮である。３はパネル２に搭載されているパワーモジュール等の機器である。パネル２および機器３は、アルミニウム等で形成されている。
【００１６】
４はパネル２と機器３とを接着している接着層である。接着層４は、シリコンゴム系接着剤を母材とし、母材よりも高い熱伝導率を有するフィラー（充填剤）の粉末を添加することにより、全体の熱伝導率を高めた接着剤からなる。
シリコンゴム系接着剤は通常熱伝導率が０．１〜０．２Ｗ／ｍ・Ｋである。そしてこれに添加するフィラーは例えば銀（熱伝導率：４２０Ｗ／ｍ・Ｋ）、銅（熱伝導率：４００Ｗ／ｍ・Ｋ）、アルミニウム（熱伝導率：２４０Ｗ／ｍ・Ｋ）、アルミナ（熱伝導率：２１Ｗ／ｍ・Ｋ）、窒化アルミニウム（熱伝導率：１６０Ｗ／ｍ・Ｋ）、炭化珪素（熱伝導率：１５０〜１８０Ｗ／ｍ・Ｋ）等が挙げられる。これらの粉末のうちから、一種類以上の粉末を添加するものとする。
【００１７】
このような接着層４を有する機器アセンブリ１においては、熱サイクルによる接着層の剥離が発生することもなく、機器３から発生した熱をパネル２側に効率よく逃がすことができるという効果が確認された。
【００１８】
以上のように、参考例１の衛星用機器パネルの機器アセンブリ１によれば、母材よりも高い熱伝導性を有するフィラーの粉末を少なくとも一種類添加した接着剤からなる接着層を備えているので、全体として高い熱伝導性を有する接着層４とすることができる。このため、高熱を発する機器を搭載した場合にも、熱サイクルによる接着層の剥離が発生することもなく、機器３から発生した熱をパネル２側に効率よく逃がすことができるという効果が得られる。
また、接着剤のみで接着層４を構成しているので、剥離層１４ｃを備えた接着層１４を有する従来の機器アセンブリ１１と比較して少ない工程で形成することができるという効果が得られる。
【００１９】
実施の形態１．
次に実施の形態１につき説明する。実施の形態１は、参考例１の機器アセンブリ１において、機器３に不具合が生じたとき等にパネル２および機器３を傷つけることなく取り外す装置について説明する。
【００２０】
図２はこの発明の実施の形態１による衛星用機器パネルの機器取り外し装置５の概念図であり、パネル２に搭載された機器３の周囲に衛星用機器パネルの機器取り外し装置５を組んだときの構成を示すものである。図３は機器取り外し装置５のねじ部分における構成を説明するための分解正面図である。
図において、５はいわゆるねじジャッキの機能を有し、機器３を取り囲むように配置されているやぐら状の機器取り外し装置（衛星用機器パネルの機器取り外し装置；以下、単に装置ともいう。）である。５ａは機器取り外し装置５の台部であり、矩形の板状をしている。５ｂは台部５ａの両端の下側に設けられ、台部５ａを指示する脚部である。脚部５ｂは例えばパネル２の表皮２ｂを傷つけないような材料のハニカムサンドイッチパネルで構成され、その高さは機器３の厚みよりも大きく取ってある。
【００２１】
５ｃは装置５の台部５ａのうち、機器３に対向する部分に設けられた貫通穴である。ここでは、機器３の四隅に対向する４箇所に設けられている。５ｄは機器３の四隅に設けられているめねじ部である。５ｅは４本のおねじ棒であり、それぞれが貫通穴５ｃおよびめねじ部５ｄの両方に差し込まれている。このおねじ棒５ｅを締め付けることにより、機器３をジャッキアップさせる。５ｆはパネル２から機器３を取り外す際に接着層４を掻き出すスクレイパー（接着層掻き出し用冶具）である。スクレイパー５ｆは、取り外しの際にパネル２および機器３を傷つけることがないように、パネル２および機器３よりも軟らかい材質のものを用いる。パネル２および機器３は一般的にアルミニウム製であるため、ＦＲＰ（Fiber Reinforced Plastic；繊維強化プラスチック）等が好適である。ここではスクレイパー５ｆをＣＦＲＰ（Carbon Fiber Reinforced Plastic ；炭素繊維強化プラスチック）からなるものとした。
【００２２】
次に動作について説明する。
おねじ棒５ｅのそれぞれを、図示しない締め付け具によって締め付け、機器３をジャッキアップさせることにより、パネル２と機器３との間隙が広がるようにする。具体的には、例えば接着層４の厚さが０．１〜０．２ｍｍ程度である場合、０．２〜０．４ｍｍ程度まで広がるようにする。その後、パネル２と機器３との間隙にスクレイパー５ｆを差し込み、接着層４を掻き出すようにして取り除く。このようにして機器３を取り外し、交換をする。
【００２３】
以上のように、この実施の形態１の衛星用機器パネルの機器取り外し装置５によれば、台部５ａと、これを支持する脚部５ｂと、貫通穴５ｃと、めねじ部５ｄと、おねじ棒５ｅと、スクレイパー５ｆとを備えている。このため、機器３をジャッキアップさせてパネル２と機器３との間隙を広げ、接着層４をスクレイパー５ｆを用いて掻き出すように除去することでパネル２から機器３を取り外すことができる。したがって、接着剤のみで構成された接着層４を有する衛星用機器パネルの機器アセンブリ１においても、パネル２および機器３を傷つけることなく、機器３の取り外しができるという効果が得られる。
【００２４】
実施の形態２．
図４は、この発明の実施の形態２による衛星用機器パネルの機器取り外し装置１５の説明図であり、パネル２に搭載された機器３の周囲に機器取り外し装置を組んだときの装置１５の本体部分の正面図を、実施の形態１の装置５と比較して示している。図４（ａ）は実施の形態２における装置５の本体部分の正面図であり、図４（ｂ）は実施の形態２における装置１５の本体部分の正面図である。なお、ここでいう装置の本体部分とは、台部および脚部をあわせて称するものである。
【００２５】
図において、１５は実施の形態２の衛星用機器パネルの機器取り外し装置（以下、装置ともいう。）であり、実際は装置１５の一部である、本体部分のみを示してある。１５ａは装置１５の台部、１５ｂは装置の脚部である。Ｗは脚部１５ｂの横幅を示す。既出の構成要素については説明を省略する。
装置１５の本体部分は、装置５の本体部分と比較して脚部１５の横幅Ｗを広く取ってあり、パネル２に対する接触面積がより広くなるようにしている。横幅Ｗは、実際に機器３を取り外す際におねじ棒５ｅを締め付けて機器３をジャッキアップさせたとき、脚部１５ｂの接触圧力によりパネル２が傷つかないような広さに設定する。このような横幅Ｗを有する脚部１５ｂを供えた装置１５により、機器の取り外しを行った後、装置１５を除去してみると、パネル２の表面には傷がついていないことが確かめられた。
【００２６】
以上のように、この実施の形態２の衛星用機器パネルの機器取り外し装置１５によれば、装置１５の脚部１５ｂの横幅Ｗを、装置１５使用の際に脚部１５ｂの接触圧力によりパネルが傷つかない広さに設定したので、実施の形態１の装置の効果に加えて、パネルを傷つけるおそれがさらに低下するという効果が得られる。
【００２７】
実施の形態３．
図５は、この発明の実施の形態３による衛星用機器パネルの機器取り外し装置における、スクレイパー１５ｆの概形を示す図である。図において、１５ｆは一部を金切り鋸刃形状に加工したＣＦＲＰからなるスクレイパー（接着層掻き出し用冶具）である。スクレイパー１５ｆを用いることにより、機器アセンブリ１における機器３取り外しの際に、容易に、効率よく、しかもパネル２および機器３を傷つけることなく接着層４を掻き出すことができる。実際にスクレイパー１５ｆを用いて接着層４の除去を行うと、パネル２および機器３に傷は生じないことが確認された。
【００２８】
以上のように、この実施の形態３の衛星用機器パネルの機器取り外し装置によれば、スクレイパー１５ｆを、一部を金切り鋸刃形状に加工したＣＦＲＰ（炭素繊維強化プラスチック）からなるものとしたので、実施の形態１の装置の効果に加えて、接着層４の除去がさらに容易に、効率よく行うことができるという効果が得られる。
【００３０】
【発明の効果】
この発明によれば、人工衛星用の機器を搭載する機器パネルの機器を取り外す際に、この機器を取り囲むように配置される機器取り外し装置であって、この機器取り外し装置は、板状の台部と、台部の両端の下側に備えられた台部を支持する脚部と、機器が配置されている部分に対向する部分の台部の一部に設けられた貫通穴と、貫通穴に対向する位置の機器の一部に設けられためねじ部と、貫通穴およびめねじ部に差し込んで締め付けることにより機器をジャッキアップさせて機器パネルと機器との間の接着層の厚さを広げるおねじ棒と、機器パネルと機器との間の接着層を取り除く接着層掻き出し用冶具とを備えるように衛星用機器パネルの機器取り外し装置を構成したので、機器をジャッキアップさせて衛星用機器パネルと機器との間隙を広げ、接着層をスクレイパーを用いて掻き出すように除去することで衛星用機器パネルから機器を取り外すことができる。したがって、接着剤のみで構成された接着層を有する衛星用機器パネルの機器アセンブリにおいても、パネルおよび機器を傷つけることなく、機器の取り外しができるという効果が得られる。
【００３１】
この発明によれば、衛星用機器パネルに対する脚部の接触面積を、おねじ棒を締め付けたときに生じる、脚部の衛星用機器パネルに対する接触圧力により、衛星用機器パネルの表面を傷つけない大きさとなるように衛星用機器パネルの機器取り外し装置を構成したので、衛星用機器パネルの表面を傷つけるおそれがさらに低下する衛星用機器パネルの機器取り外し装置が得られる効果がある。
【００３２】
この発明によれば、接着層掻き出し用冶具を、その一部が金切り鋸刃状となるように衛星用機器パネルの機器取り外し装置を構成したので、接着層の除去をさらに容易に、効率よく行うことが可能な衛星用機器パネルの機器取り外し装置が得られる効果がある。
【図面の簡単な説明】
【図１】  参考例１による衛星用機器パネルの機器アセンブリの概略的な構成を示す断面図である。
【図２】  この発明の実施の形態１による衛星用機器パネルの機器取り外し装置の概念図である。
【図３】  機器取り外し装置のねじ部分における構成を説明するための分解正面図である。
【図４】  この発明の実施の形態２による衛星用機器パネルの機器取り外し装置の説明図である。
【図５】  この発明の実施の形態３による衛星用機器パネルの機器取り外し装置における、スクレイパーの概形を示す図である。
【図６】  従来の衛星用機器パネルの機器アセンブリの構成を示す断面図である。
【符号の説明】
１  衛星用機器パネルの機器アセンブリ、２  ハニカムサンドイッチ構造のパネル（衛星用機器パネル）、３  機器、４  接着層、５，１５  衛星用機器パネルの機器取り外し装置、５ａ，１５ａ  台部、５ｂ，１５ｂ  脚部、５ｃ  貫通穴、５ｄ  めねじ部、５ｅ  おねじ棒、５ｆ，１５ｆ  スクレイパー（接着層掻き出し用冶具）。
【図１】
0004071042.tif 000002
【図２】
0004071042.tif 000003
【図３】
0004071042.tif 000004
【図４】
0004071042.tif 000005
【図５】
0004071042.tif 000006
【図６】
0004071042.tif 000007